(57)【要約】【課題】  基地局切り替えタイミングの検出精度を上げることによる通信品質の向上を図ることができる無線通信システム、基地局切替制御方法、プログラム、及び記録媒体を提供すること。【解決手段】  基地局２０１，２０２，２０３と移動局１０１とが無線回線を介して通信を行う無線通信システムにおいて、移動局１０１は、アンテナから受信した電波の強度を検出する電波強度検出部１０と、検出された受信電波強度２１と電波強度閾値１及び電波強度閾値１より低い電波強度閾値２の比較を行う基地局切替制御部１１を有する。基地局切替制御部１１は、前記検出された受信電波強度が前記電波強度閾値１より高い場合は通信中の基地局との間のデータ通信だけを行い、前記検出した受信電波強度が前記電波強度閾値１より低くなった場合は切り替え先基地局の探索を開始し、探索された最も電波強度の高い基地局に対して切り替え制御を行う。【選択図】  図１
2005347906.tif 000002
【特許請求の範囲】
【請求項１】
複数の基地局と移動局とが無線回線を介して通信を行う無線通信システムにおいて、
前記移動局は、
アンテナから受信した電波の強度を検出する電波強度検出部と、
前記電波強度検出部で検出された受信電波強度と第１の電波強度閾値及び当該第１の電波強度閾値より低い第２の電波強度閾値の比較を行う基地局切替制御部を有し、
前記基地局切替制御部は、前記検出された受信電波強度が前記第１の電波強度閾値より高い場合は通信中の基地局との間のデータ通信だけを行い、前記検出した受信電波強度が前記第１の電波強度閾値より低くなった場合は切り替え先基地局の探索を開始し、探索された最も電波強度の高い基地局に対して切り替え制御を行うことを特徴とする無線通信システム。
【請求項２】
前記検出された受信電波強度が前記第１の電波強度閾値より高い場合には、基地局切り替えのための電波強度取得命令の頻度及び前記閾値比較を行う頻度が低くなるように制御され、
前記検出された受信電波強度が前記第１の電波強度閾値より低くなった場合には、前記通信中の基地局からの受信電波強度と前記第２の電波強度閾値を比較する頻度を高くするように制御されることを特徴とする請求項１記載の無線通信システム。
【請求項３】
複数の基地局と少なくとも２つのアンテナを有する移動局とが無線回線を介して通信を行う無線通信システムにおいて、
前記移動局は、
一のアンテナから受信した電波の強度を検出する電波強度検出部と、
前記電波強度検出部で検出された受信電波強度と第１の電波強度閾値及び当該第１の電波強度閾値より低い第２の電波強度閾値の比較を行う基地局切替制御部と、
前記基地局との接続を確立するための通信制御部を有し、
前記基地局切替制御部は、前記検出された受信電波強度が前記第１の電波強度閾値より高い場合は通信中の基地局との間のデータ通信だけを行い、
前記通信制御部は、前記検出された受信電波強度が前記第１の電波強度閾値より低くなった場合に、他のアンテナを介して切り替え先基地局の探索を行い、前記切り替え先基地局探索にて、最も電波強度の高い基地局に対して切り替えを行う場合は、当該探索された切り替え先基地局との接続を確立し、使用するアンテナを前記一のアンテナから前記他のアンテナへ変更するよう制御することを特徴とする無線通信システム。
【請求項４】
移動速度のレベルを検出して、検出された移動速度のレベルに応じて前記基地局からの受信電波強度と前記第１及び前記第２の閾値を比較する頻度を変更する移動速度検出部を有することを特徴とする請求項１〜３のいずれかに記載の無線通信システム。
【請求項５】
複数の基地局と移動局とが無線回線を介して通信を行う無線通信システムにおける基地局切替制御方法において、
アンテナから受信した電波の強度を検出するステップと、
前記検出した受信電波強度と第１の電波強度閾値及び当該第１の電波強度閾値より低い第２の電波強度閾値の比較を行うステップと
前記検出した受信電波強度が前記第１の電波強度閾値より高い場合は通信中の基地局との間のデータ通信だけを行い、前記検出した受信電波強度が前記第１の電波強度閾値より低くなった場合は切り替え先基地局の探索を開始し、探索された最も電波強度の高い基地局に切り替えるステップを有することを特徴とする基地局切替制御方法。
【請求項６】
前記基地局切り替えステップにおいて、
前記検出した受信電波強度が前記第１の電波強度閾値より高い場合に、基地局切り替えのための電波強度取得命令の頻度及び前記閾値比較を行う頻度が低くなるよう制御するステップと、
前記検出した受信電波強度が前記第１の電波強度閾値より低くなった場合に、前記通信中の基地局からの受信電波強度と前記第２の電波強度閾値を比較する頻度を高くするよう制御するステップをさらに有することを特徴とする請求項５記載の基地局切替制御方法。
【請求項７】
複数の基地局と少なくとも２つのアンテナを有する移動局とが無線回線を介して通信を行う無線通信システムにおける基地局切替制御方法において、
一のアンテナから受信した電波の強度を検出するステップと、
前記検出した受信電波強度と第１の電波強度閾値及び当該第１の電波強度閾値より低い第２の電波強度閾値の比較を行うステップと、
前記基地局との接続を確立するステップと、
前記検出した受信電波強度が前記第１の電波強度閾値より高い場合は通信中の基地局との間の接続を維持するステップと、
前記通信制御部は、前記検出した受信電波強度が前記第１の電波強度閾値より低くなった場合に、他のアンテナを介して切り替え先基地局の探索を行うステップと、
前記切り替え先基地局探索の結果最も電波強度の高い基地局との接続を確立するステップと、
使用するアンテナを前記一のアンテナから前記他のアンテナへ変更するステップを有することを特徴とする請求項５又は６記載の基地局切替制御方法。
【請求項８】
移動速度のレベルを検出して、検出された移動速度のレベルに応じて前記基地局からの受信電波強度と前記第１及び前記第２の閾値を比較する頻度を変更するステップを有することを特徴とする請求項５〜７のいずれかに記載の基地局切替制御方法。
【請求項９】
コンピュータに、基地局と移動局とが無線回線を介して通信を行う無線通信システムにおける基地局の切替制御を行わせるプログラムであって、
アンテナから受信した電波の強度を検出するステップと、
前記検出した受信電波強度と第１の電波強度閾値及び当該第１の電波強度閾値より低い第２の電波強度閾値の比較を行うステップと
前記検出した受信電波強度が前記第１の電波強度閾値より高い場合は通信中の基地局との間のデータ通信だけを行い、前記検出した受信電波強度が前記第１の電波強度閾値より低くなった場合は切り替え先基地局の探索を開始し、探索された最も電波強度の高い基地局に切り替えるステップを実行させることを特徴とするプログラム。
【請求項１０】
前記基地局切り替えステップにおいて、
前記検出した受信電波強度が前記第１の電波強度閾値より高い場合に、基地局切り替えのための電波強度取得命令の頻度及び前記閾値比較を行う頻度が低くなるよう制御するステップと、
前記検出した受信電波強度が前記第１の電波強度閾値より低くなった場合に、前記通信中の基地局からの受信電波強度と前記第２の電波強度閾値を比較する頻度を高くするよう制御するステップを実行させることを特徴とする請求項９記載のプログラム。
【請求項１１】
コンピュータに、複数の基地局と少なくとも２つのアンテナを有する移動局とが無線回線を介して通信を行う無線通信システムにおける基地局の切替制御を行わせるプログラムであって、
一のアンテナから受信した電波の強度を検出するステップと、
前記検出した受信電波強度と第１の電波強度閾値及び当該第１の電波強度閾値より低い第２の電波強度閾値の比較を行うステップと、
前記基地局との接続を確立するステップと、
前記検出した受信電波強度が前記第１の電波強度閾値より高い場合は通信中の基地局との間の接続を維持するステップと、
前記通信制御部は、前記検出した受信電波強度が前記第１の電波強度閾値より低くなった場合に、他のアンテナを介して切り替え先基地局の探索を行うステップと、
前記切り替え先基地局探索の結果最も電波強度の高い基地局との接続を確立するステップと、
使用するアンテナを前記一のアンテナから前記他のアンテナへ変更するステップを実行させることを特徴とするプログラム。
【請求項１２】
さらに、移動速度のレベルを検出して、検出された移動速度のレベルに応じて前記基地局からの受信電波強度と前記第１及び前記第２の閾値を比較する頻度を変更するステップを実行させることを特徴とする請求項９〜１１のいずれかに記載のプログラム。
【請求項１３】
請求項９〜１２に記載のプログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む）。
【発明の詳細な説明】
【技術分野】
【０００１】
本発明は無線通信システム、基地局切替制御方法、プログラム、及び記録媒体に関する。
【背景技術】
【０００２】
近年、ディジタル移動体通信では情報通信のマルチメディア化が進み、通話容量が拡大している。このためＣＰＵに負荷がかかり、より一層の通信回線品質の信頼性向上が望まれている。
【０００３】
以下の特許文献１によれば、ハンドオーバ履歴及び通信品質に応じて、ハンドオーバの制限及び閾値の変更を行う技術が開示されている。上記技術は不要なハンドオーバの発生頻度を低くすることによって通信品質を高めることを目的とした技術であり、基地局切り替えタイミングの検出精度を上げることによる通信品質の向上を目的としたものである。
【０００４】
又、以下の特許文献２によれば、回線の通信品質を監視し接続中である基地局の信号が劣化した場合に基地局切り替えを発生しやすくして通信品質を向上させることを目的とした技術が開示されている。この技術は、基地局切り替えタイミングの検出精度を上げることによる通信品質の向上を目的としている。
【０００５】
以下の特許文献３によれば、移動速度によってフェージング変動が激しくなることに注目し、移動速度が速い場合には測定時間長を長く取り、内部閾値を大きくとることで最良の基地局を選択する可能性を高め、また移動速度が遅い場合には測定時間長を短くし、内部閾値を小さくとる技術が開示されている。上記技術は切り替え先基地局候補の探索を行うための技術にあたる。
【０００６】
以下の特許文献４によれば、移動局が主として通信を行う基地局との位置関係を考慮し、移動局と基地局との距離が十分に近く安定した通信が行える場合には他の基地局からのマルチパスを検出する無駄な動作を防止し消費電力浪費を低減する技術が開示されている。上記技術はＲＡＫＥ受信機を使用する場合に課題となる消費電力低減を実現することを目的とした技術である。
【０００７】
【特許文献１】再公表特許ＷＯ９９／３４６２７
【特許文献２】特開２００１−０７８２４２
【特許文献３】特開２００２−０１０３１３
【特許文献４】特開２００２−２０４１８１
【発明の開示】
【発明が解決しようとする課題】
【０００８】
しかしながら、基地局切り替え制御により、基地局切り替えに伴うパケット損失を低減し、移動局におけるＣＰＵ負荷を軽減することにより通信回線の信頼性向上を図るという観点から発明を着想した技術は無かった。
【０００９】
［発明の目的］
従って本発明の目的は、基地局切り替えタイミングの検出精度を上げることによる通信品質の向上を図り、基地局切り替えタイミングを検出するための無線通信システム、基地局切替制御方法、プログラム、及び記録媒体を提供することにある。
【課題を解決するための手段】
【００１０】
上記課題を解決するために、本件発明は、以下の特徴を有する課題を解決するための手段を採用している。
【００１１】
請求項１に記載された発明は、複数の基地局と移動局とが無線回線を介して通信を行う無線通信システムにおいて、
前記移動局が、
アンテナから受信した電波の強度を検出する電波強度検出部と、
前記電波強度検出部で検出された受信電波強度と第１の電波強度閾値及び当該第１の電波強度閾値より低い第２の電波強度閾値の比較を行う基地局切替制御部を有し、
前記基地局切替制御部は、前記検出された受信電波強度が前記第１の電波強度閾値より高い場合は通信中の基地局との間のデータ通信だけを行い、前記検出した受信電波強度が前記第１の電波強度閾値より低くなった場合は切り替え先基地局の探索を開始し、探索された最も電波強度の高い基地局に対して切り替え制御を行うことを特徴とする。
【００１２】
請求項２に記載された発明は、
前記検出された受信電波強度が前記第１の電波強度閾値より高い場合には、基地局切り替えのための電波強度取得命令の頻度及び前記閾値比較を行う頻度が低くなるように制御され、
前記検出された受信電波強度が前記第１の電波強度閾値より低くなった場合には、前記通信中の基地局からの受信電波強度と前記第２の電波強度閾値を比較する頻度を高くするように制御されることを特徴とする。
【００１３】
請求項３に記載された発明は、
複数の基地局と少なくとも２つのアンテナを有する移動局とが無線回線を介して通信を行う無線通信システムにおいて、
前記移動局が、
一のアンテナから受信した電波の強度を検出する電波強度検出部と、
前記電波強度検出部で検出された受信電波強度と第１の電波強度閾値及び当該第１の電波強度閾値より低い第２の電波強度閾値の比較を行う基地局切替制御部と、
前記基地局との接続を確立するための通信制御部を有し、
前記基地局切替制御部は、前記検出された受信電波強度が前記第１の電波強度閾値より高い場合は通信中の基地局との間のデータ通信だけを行い、
前記通信制御部は、前記検出された受信電波強度が前記第１の電波強度閾値より低くなった場合に、他のアンテナを介して切り替え先基地局の探索を行い、前記切り替え先基地局探索にて、最も電波強度の高い基地局に対して切り替えを行う場合は、当該探索された切り替え先基地局との接続を確立し、使用するアンテナを前記一のアンテナから前記他のアンテナへ変更するよう制御することを特徴とする。
【００１４】
請求項４に記載された発明は、移動速度のレベルを検出して、検出された移動速度のレベルに応じて前記基地局からの受信電波強度と前記第１及び前記第２の閾値を比較する頻度を変更する移動速度検出部を有することを特徴とする。
【００１５】
請求項５に記載された発明は、
複数の基地局と移動局とが無線回線を介して通信を行う無線通信システムにおける基地局切替制御方法において、
アンテナから受信した電波の強度を検出するステップと、
前記検出した受信電波強度と第１の電波強度閾値及び当該第１の電波強度閾値より低い第２の電波強度閾値の比較を行うステップと
前記検出した受信電波強度が前記第１の電波強度閾値より高い場合は通信中の基地局との間のデータ通信だけを行い、前記検出した受信電波強度が前記第１の電波強度閾値より低くなった場合は切り替え先基地局の探索を開始し、探索された最も電波強度の高い基地局に切り替えるステップを有することを特徴とする。
【００１６】
請求項６に記載された発明は、
前記基地局切り替えステップにおいて、
前記検出した受信電波強度が前記第１の電波強度閾値より高い場合に、基地局切り替えのための電波強度取得命令の頻度及び前記閾値比較を行う頻度が低くなるよう制御するステップと、
前記検出した受信電波強度が前記第１の電波強度閾値より低くなった場合に、前記通信中の基地局からの受信電波強度と前記第２の電波強度閾値を比較する頻度を高くするよう制御するステップをさらに有することを特徴とする。
【００１７】
請求項７に記載された発明は、
複数の基地局と少なくとも２つのアンテナを有する移動局とが無線回線を介して通信を行う無線通信システムにおける基地局切替制御方法において、
一のアンテナから受信した電波の強度を検出するステップと、
前記検出した受信電波強度と第１の電波強度閾値及び当該第１の電波強度閾値より低い第２の電波強度閾値の比較を行うステップと、
前記基地局との接続を確立するステップと、
前記検出した受信電波強度が前記第１の電波強度閾値より高い場合は通信中の基地局との間の接続を維持するステップと、
前記通信制御部は、前記検出した受信電波強度が前記第１の電波強度閾値より低くなった場合に、他のアンテナを介して切り替え先基地局の探索を行うステップと、
前記切り替え先基地局探索の結果最も電波強度の高い基地局との接続を確立するステップと、
使用するアンテナを前記一のアンテナから前記他のアンテナへ変更するステップを有することを特徴とする。
【００１８】
請求項８に記載された発明は、移動速度のレベルを検出して、検出された移動速度のレベルに応じて前記基地局からの受信電波強度と前記第１及び前記第２の閾値を比較する頻度を変更するステップを有することを特徴とする。
【００１９】
請求項９に記載された発明は、
コンピュータに、基地局と移動局とが無線回線を介して通信を行う無線通信システムにおける基地局の切替制御を行わせるプログラムであって、
アンテナから受信した電波の強度を検出するステップと、
前記検出した受信電波強度と第１の電波強度閾値及び当該第１の電波強度閾値より低い第２の電波強度閾値の比較を行うステップと
前記検出した受信電波強度が前記第１の電波強度閾値より高い場合は通信中の基地局との間のデータ通信だけを行い、前記検出した受信電波強度が前記第１の電波強度閾値より低くなった場合は切り替え先基地局の探索を開始し、探索された最も電波強度の高い基地局に切り替えるステップを実行させることを特徴とするプログラム。
【００２０】
請求項１０に記載された発明は、
前記基地局切り替えステップにおいて、
前記検出した受信電波強度が前記第１の電波強度閾値より高い場合に、基地局切り替えのための電波強度取得命令の頻度及び前記閾値比較を行う頻度が低くなるよう制御するステップと、
前記検出した受信電波強度が前記第１の電波強度閾値より低くなった場合に、前記通信中の基地局からの受信電波強度と前記第２の電波強度閾値を比較する頻度を高くするよう制御するステップを実行させることを特徴とする。
【００２１】
請求項１１に記載された発明は、
コンピュータに、複数の基地局と少なくとも２つのアンテナを有する移動局とが無線回線を介して通信を行う無線通信システムにおける基地局の切替制御を行わせるプログラムであって、
一のアンテナから受信した電波の強度を検出するステップと、
前記検出した受信電波強度と第１の電波強度閾値及び当該第１の電波強度閾値より低い第２の電波強度閾値の比較を行うステップと、
前記基地局との接続を確立するステップと、
前記検出した受信電波強度が前記第１の電波強度閾値より高い場合は通信中の基地局との間の接続を維持するステップと、
前記通信制御部は、前記検出した受信電波強度が前記第１の電波強度閾値より低くなった場合に、他のアンテナを介して切り替え先基地局の探索を行うステップと、
前記切り替え先基地局探索の結果最も電波強度の高い基地局との接続を確立するステップと、
使用するアンテナを前記一のアンテナから前記他のアンテナへ変更するステップを実行させることを特徴とする。
【００２２】
請求項１２に記載された発明は、さらに、移動速度のレベルを検出して、検出された移動速度のレベルに応じて前記基地局からの受信電波強度と前記第１及び前記第２の閾値を比較する頻度を変更するステップを実行させることを特徴とする。
【００２３】
請求項１３に記載された発明は、請求項９〜１２に記載のプログラムを記録したことを特徴とするコンピュータ読取可能な記録媒体（コンパクトディスク、フレキシブルディスク、ハードディスク、光磁気ディスク、ディジタルビデオディスク、磁気テープ、または、半導体メモリを含む。）である。
【発明の効果】
【００２４】
本発明によれば、基地局からの受信電波強度が電波強度閾値１より低くなった場合に、前記基地局からの受信電波強度と電波強度閾値２の比較頻度を高くし基地局切り替えを開始するタイミングが遅れないようにするため、基地局切り替えに伴うパケット損失を低減できる。また、基地局からの受信電波強度が電波強度閾値１よりも高く安定した通信が可能である場合には、前記基地局からの受信電波強度と電波強度閾値２の比較頻度を低くしておくため移動局におけるＣＰＵ負荷を軽減できる。従って、回線の信頼性向上に寄与するところ大であるという特徴を有するものである。
【発明を実施するための最良の形態】
【００２５】
以下、図面を参照して本発明の実施の形態について説明する。
【００２６】
図１は本発明の第１の実施の形態を示したブロック図を示す。図１に示す実施例は、新幹線あるいは高速走行中の車内に搭載された無線移動局に適応した例である。また、この移動局は無線より受信した信号を車内ＬＡＮに向けて転送することもできる。複数の基地局（基地局２０１、基地局２０２、基地局２０３）間を移動局１０１が移動する。移動局１０１は、無線信号の送受信を行うためのアンテナ１６と送受信部１２、ＬＡＮ側の送受信を行うための送受信部１４、電波強度を検出するための電波強度検出部１０、電波強度検出部１０で取得した受信電波強度と電波強度閾値１の比較、及び当該受信電波強度と電波強度閾値１より小さい電波強度閾値２の比較を行う基地局切替制御部１１、ＭＡＣ制御及びルーティング制御を行う通信制御部１３とから構成される。
【００２７】
次に、本実施の形態の動作について説明する。アンテナ１６において受信された基地局２０１からの受信信号は送受信部１２において受信され、電波強度検出部１０により受信電波強度２１が検出される。検出された受信電波強度２１は基地局切替制御部１１により、電波強度閾値１及び電波強度閾値２と比較される。電波強度閾値１と比較した結果、受信電波強度２１が電波強度閾値１より高い場合は基地局２０１間のデータ通信だけを行い、基地局切り替えのための電波強度取得及び閾値比較を行う頻度を低くしておく。受信電波強度２１が電波強度閾値１より低くなった場合は切り替え先基地局の探索を開始し、切り替え先候補基地局リストを作成する。また、基地局２０１からの受信電波強度２１と電波強度閾値２を比較する頻度を高くする。さらに、受信電波強度２１が電波強度閾値２より低くなった場合は、前記切り替え先候補基地局リストの中から最も電波強度の高い基地局に対して切り替えを開始する。すなわち、基地局切替制御部１１が通信制御部１３に基地局切り替えを命令する。基地局切り替えを命令された通信制御部１３は切り替え先基地局である基地局２０２との接続を開始する。切り替え先基地局２０２との接続が完了すると移動局１０１の基地局切り替えが完了する。
【００２８】
尚、本実施の形態において移動局では、基地局から受信した電波強度に対して２つの閾値を設定し受信電波強度を３つのレベル(高/中/低)に分割した上で、受信電界強度レベルに応じて電波強度を取得し閾値比較を行う頻度を変更することとしているが、３以上の閾値を設定してより細かい切り替え制御を行ってもよい。
【００２９】
以上より、移動局は基地局から受信した電波強度レベルが低くなるにつれて接続基地局からの受信電波強度と閾値の比較頻度を高くすることにより、基地局切り替えを素早く開始できるためパケット損失を低減できる。
【００３０】
また、基地局から受信した電波強度レベルが高く安定した通信が可能である場合は、接続基地局からの受信電波強度と閾値の比較を行う頻度を低くしておくことにより、移動局におけるＣＰＵ負荷を軽減できる。
【００３１】
以下、本発明の第２の実施の形態について説明する。なお、本発明は上記の実施例に限定されるものではなく、例えば図２に示すようにアンテナを複数用意した移動局１０２にも適用することができる。アンテナ１６を使用して基地局２０１と接続しデータ送受信を行っている間、アンテナ１７では切り替え先基地局を探索する。すなわち、通信制御部１３は、前記検出した受信電波強度が電波強度閾値１より低くなった場合に、アンテナ１７を介して切り替え先基地局の探索を行う。
【００３２】
前記切り替え先基地局探索にて、最も電波強度の高い基地局に対して切り替えを行う場合は、アンテナ１７を使用して切り替え先基地局２０２との接続を確立させ、使用するアンテナをアンテナ１６からアンテナ１７へ変更するよう制御する。基地局２０２との接続が確立した後使用するアンテナをアンテナ１６からアンテナ１７へ変更し基地局切り替え処理を完了させる。さらに、使用アンテナを変更した後アンテナ１６を使用して基地局２０１から一定時間データ受信できるようにすることにより、基地局切り替えに伴う網側におけるパケット損失を完全に回避できる。
【００３３】
以下、本発明の第３の実施の形態について説明する。上記に示した実施の形態とは別に、例えば図３に示すように移動速度検出部１５において基地局切り替えの時間間隔等を利用して移動速度のレベルを検出することにより、移動速度のレベルに応じて基地局からの受信電波強度と閾値比較の頻度を変更する。すなわち、高速移動である場合には基地局からの受信電波強度と閾値比較の頻度を高くする。高速移動では低速移動と比較して基地局からの受信電波強度の変動が大きいため、基地局切り替えを開始するタイミングが遅れるとパケット損失が大きくなる。従って、本実施例は高速移動中の移動局における基地局切り替えにおいて、基地局切り替えに伴う網側におけるパケット損失を低減できる。
【００３４】
また、上記した各実施の形態は、本発明を好適に実施した形態の一例に過ぎず、本発明は、その主旨を逸脱しない限り、種々変形して実施することが可能なものである。
【図面の簡単な説明】
【００３５】
【図１】本発明の第１の実施の形態のシステム構成図である。
【図２】本発明の第２の実施の形態のシステム構成図である。
【図３】本発明の第３の実施の形態のシステム構成図である。
【符号の説明】
【００３６】
１０    電波強度検出部
１１    基地局切替制御部
１２，１４    送受信部
１３    通信制御部
１５    移動速度検出部
１６，１７    アンテナ
２１，２２    受信電波強度
１０１，１０２，１０３    移動局
２０１，２０２，２０３    基地局
３０１    交換局
【図１】
2005347906.tif 000003
【図２】
2005347906.tif 000004
【図３】
2005347906.tif 000005